(57)【特許請求の範囲】
【請求項１】
その日に飲食した食物の摂取カロリーを入力する摂取カロリー入力装置と、その日に消費した消費カロリーを入力する消費カロリー入力装置と、前記の摂取カロリー入力装置および消費カロリー入力装置のデーターに基づいて摂取カロリーおよび消費カロリーの差を計算する計算装置と、この計算装置によって計算された値をもとに摂取カロリーおよび消費カロリーの差を入浴によって消費するに必要な入浴条件を換算する換算装置と、この換算した入浴条件を表示する表示装置とを備えた入浴装置。
【請求項２】
入浴者の少なくとも目標体型・体調を入力する体型・体調入力装置と、表示装置に表示されたデーターを前記体型・体調入力装置の入力内容に応じて変更する表示変更装置と、この表示変更装置によるデーターに基づいて入浴装置を制御する制御装置とを備えた請求項１記載の入浴装置。
【請求項３】
入浴中の入浴者の少なくとも心拍・血圧の変動を監視する心拍血圧監視装置と、表示装置に表示されたデーターおよび前記心拍血圧監視装置からのデーターに基づいて入浴装置を制御する制御装置とを備えた請求項１、または２記載の入浴装置。
【請求項４】
その日に飲食した食物を記録する摂取食物記録装置と、この摂取食物記録装置のデーターに基づいて摂取カロリーを計算する摂取カロリー計算装置と、１日の基礎代謝量およびその日１日の運動量を記録する消費量記録装置と、この消費量記録装置のデーターに基づいて消費カロリーを計算する消費カロリー計算装置と、摂取カロリーおよび消費カロリーの差を計算する計算装置と、この計算装置によって計算された値をもとに摂取カロリーおよび消費カロリーの差を入浴によって消費する入浴条件に換算する換算装置と、その換算した入浴条件を表示する表示装置とを備えた入浴装置。
【請求項５】
入浴者の少なくとも目標体型・体調を入力する体型・体調入力装置と、表示装置に表示された表示内容を前記体型・体調入力装置の入力内容に応じて変更する表示変更装置と、この表示変更装置によるデーターに基づいて入浴装置を制御する制御装置とを備えた請求項４記載の入浴装置。
【請求項６】
入浴中の入浴者の心拍や血圧の変動を監視する心拍血圧監視装置を備え、表示装置に表示されたデーターと前記心拍血圧監視装置からのデーターに基づいて入浴装置を制御する制御装置を備えた請求項４、または５記載の入浴装置。
【請求項７】
その日に飲食した食物および入浴後に飲食したい食物を記録する摂取食物記録装置と、この摂取食物記録装置のデーターに基づいて摂取カロリーを計算する摂取カロリー計算装置と、１日の基礎代謝量およびその日１日の運動量を記録する消費量記録装置と、この消費量記録装置のデーターを利用して消費カロリーを計算する消費カロリー計算装置と、前記の摂取カロリーおよび消費カロリーの差を計算する計算装置と、この計算装置によって計算された値をもとに、摂取カロリーおよび消費カロリーの差を入浴によって消費するための入浴条件に換算する換算装置とを備えた入浴装置。
【請求項８】
入浴者の少なくとも目標体型・体調を入力する体型・体調入力装置と、表示装置に表示された表示データーを前記体型・体調入力装置の入力内容に応じて変更する表示変更装置と、この表示変更装置によるデーターに基づいて入浴装置を制御する制御装置とを備えた請求項７記載の入浴装置。
【請求項９】
入浴中の入浴者の少なくとも心拍・血圧の変動を監視する心拍血圧監視装置と、表示装置に表示されたデーターおよび前記心拍血圧監視装置からのデーターに基づいて入浴装置を制御する制御装置とを備えた請求項７、または８記載の入浴装置。
【発明の詳細な説明】
【０００１】
【発明の属する技術分野】
本発明は、カロリーコントロール機能を備えた入浴装置に関するものである。
【０００２】
【従来の技術】
従来の入浴装置においては、カロリーコントロール機能を備えたものの提案はなく、例えば、特開平７−６４９６４号公報に示すように、日常生活での食事や運動や体調などの各種情報を記録し、その記録情報をもとに自己管理をしたり、あるいは病院で患者の生活指導をするために使用したりすることができる生活情報管理システムを備えたものは提案されている。
【０００３】
以下、その生活情報管理システムの構成について説明する。患者宅には、多機能電話機を利用して操作できるＩＣカードリーダー・ライタとバードを備えた入力装置が置かれ、患者は、バーコードリーダーを用いてＩＣカードに自己の食事情報、運動情報、検査情報などを登録する。その際、電話機は食事に対応する摂取カロリー、運動に対応する消費カロリーを計算する。これらの登録内容は、電話機の液晶表示器により照会することができ、患者はＩＣカードを病院に持参し、病院側ホスト装置が、ＩＣカードリーダー・ライタによりＩＣカード内の情報を読み取り、ディスプレイに時系列的なグラフとして表示するようになっている。
【０００４】
【発明が解決しようとする課題】
従来の生活情報管理システムにあっては、健康管理をする役割のみを果たし、入浴など日常生活行為の中で摂取カロリーと消費カロリーのバランスをコントロールする方法を表示するなどの機能がなく、痩身や体型維持のための日々のカロリーコントロールができないという問題点があった。
【０００５】
また、現代社会においては、痩身や健康管理に関心があり、さらに入浴によってカロリーが消費されるという事実、例えば１７歳、身長１６５．９センチメートル、体重５６．６キログラムの高校生男子が２８分間入浴すると６９キロカロリーのエネルギーが消費される（「運動生理学」１９９４年（株）南江堂発行）にもかかわらず、日常生活行為である入浴で簡単にカロリー消費をコントロールするということに対するサポートシステムがないという問題点があった。
【０００６】
本発明は、日々摂取したカロリーや消費したカロリーを計算し、その計算をもとにカロリーコントロールを入浴装置を中心に実施できるようにすることを第１の課題としている。
【０００７】
また、第２の課題としては、日々摂取したカロリーや消費したカロリーを計算し、その計算値をもとに入浴者の目標体型や体調に合わせて日々摂取カロリーに対する消費カロリーの割合がコントロールでき、さらにその内容に基づいて入浴装置の制御が自動で行えるようにすることにある。
【０００８】
また、第３の課題としては、日々摂取したカロリーや消費したカロリーを計算し、その計算をもとに決定した入浴内容と心拍血圧監視装置の内容をもとに、入浴装置が入浴者の目標体型や体調に合わせて制御できるようにすることにある。
【０００９】
【課題を解決するための手段】
上記課題を解決するために、本発明は１日の摂取カロリーと消費カロリーの差を計算する計算装置による値をもとに、入浴条件を表示する表示装置を付加したものである。また、上記解決手段に入浴者の目標体型・体調に応じた表示変更装置を加えた別の解決手段、また、心拍血圧のデーターによる制御装置を前記表示装置に加えた別の解決手段を発明したものである。そして、これら上記の解決手段によって入浴を加味したカロリーコントロールを達成し、従来例による問題点を解消することができる。
【００１０】
【発明の実施の形態】
上記の課題を解決するために、請求項１に記載の発明は、その日に飲食した食物の摂取カロリーを入力する摂取カロリー入力装置と、その日に消費した消費カロリーを入力する消費カロリー入力装置と、前記の摂取カロリー入力装置および消費カロリー入力装置のデーターに基づいて摂取カロリーおよび消費カロリーの差を計算する計算装置と、この計算装置によって計算された値をもとに摂取カロリーおよび消費カロリーの差を入浴によって消費するに必要な入浴条件を換算する換算装置と、この換算した入浴条件を表示する表示装置とを備えたものである。
【００１１】
そして、本発明は、上記した手段によって、消費カロリーと消費カロリー入力装置に、摂取カロリーを摂取カロリー入力装置にそれぞれ入力すると、計算装置によって摂取カロリーと消費カロリーの差を計算し、この摂取カロリーと消費カロリーとの差を消費するための入浴条件を換算装置によって換算し、この換算した入浴条件は表示装置によって表示されるので、摂取カロリーと消費カロリーとの差を入浴によって消費することができる。
【００１２】
また、請求項２に記載の発明は、前記請求項１に記載の発明に加えて、入浴者の目標体型・体調などを入力する体型・体調入力装置と、表示装置に表示されたデーターを前記体型・体調入力装置の入力内容に応じて変更する表示変更装置と、この表示変更装置による表示データーに基づいて入浴装置を制御する制御装置とを備えているので目標体型や体調によって入浴条件を変更することができる。
【００１３】
また、請求項３に記載の発明は、入浴中の入浴者の少なくとも心拍・血圧の変動を監視する心拍血圧監視装置と、表示装置に表示されたデーターおよび前記心拍血圧監視装置からのデーターに基づいて入浴装置を制御する制御装置とを備えているので、心拍や血圧の変化を監視する心拍血圧監視装置からの内容にもとづいて、制御装置により入浴装置を制御できる。
【００１４】
また、請求項４に記載した発明は、その日に飲食した食物を記録する摂取食物記録装置と、この摂取食物記録装置のデーターに基づいて摂取カロリーを計算する摂取カロリー計算装置と、１日の基礎代謝量およびその日１日の運動量を記録する消費量記録装置と、この消費量記録装置のデーターを利用して消費カロリーを計算する消費カロリー計算装置と、摂取カロリーと消費カロリーの差を計算する計算装置と、この計算装置によって計算された値をもとに摂取カロリーと消費カロリーの差を入浴によって消費するための入浴条件に換算する換算装置と、その換算した入浴条件を表示する表示装置とを備えた構成としたものである。
【００１５】
従って、その日に飲食した食物を摂取食物記録装置に記録すると、摂取カロリー計算装置によって摂取カロリーが計算され、１日の基礎代謝量およびその日の運動量を消費量記録装置に記録すると、消費カロリー計算装置によって消費カロリーが計算され、これら計算された摂取カロリーおよび消費カロリーをもとに、摂取カロリーと消費カロリーとの差が計算装置によって計算され、その値をもとに、摂取カロリーと消費カロリーとの差を消費するための入浴条件が換算装置によって換算され、それが表示装置によって表示されるので、摂取カロリーと消費カロリーとの差を入浴によって消費することができる。
【００１６】
また、請求項５に記載した発明は、入浴者の少なくとも目標体型・体調を入力する体型・体調入力装置と、この表示装置に表示された表示内容を体型・体調入力装置の入力内容に応じて変更する表示変更装置と、表示されたデーターに基づいて入浴装置を制御する制御装置とを備えている。
【００１７】
従って、入浴者の目標体型や体調を入力した体型・体調入力装置のデーターに応じて表示された入浴方法を、表示変更装置によって変更し、その表示変更装置の内容にもとづいて、制御装置により入浴装置を制御することができる。
【００１８】
また、請求項６に記載の発明は、入浴中の入浴者の心拍や血圧の変動を監視する心拍血圧監視装置と、表示装置に表示されたデーターおよび心拍血圧監視装置からのデーターに基づいて入浴装置を制御する制御装置を備えている。
【００１９】
従って、表示変更装置によって変更された入浴方法の内容と、入浴者の入浴中の心拍や血圧の変化を監視する心拍血圧監視装置の内容とにもとづいて、制御装置により入浴装置を制御することができる。
【００２０】
また、請求項７に記載の発明は、その日に飲食した食物および入浴後に飲食したい食物を記録する摂取食物記録装置と、この摂取食物記録装置のデーターに基づいて摂取カロリーを計算する摂取カロリー計算装置と、１日の基礎代謝量およびその日１日の運動量を記録する消費量記録装置と、この消費量記録装置のデーターを利用して消費カロリーを計算する消費カロリー計算装置と、摂取カロリーおよび消費カロリーの差を計算する計算装置と、この計算装置によって計算された値をもとに摂取カロリーと消費カロリーの差を入浴によって消費するための入浴条件に換算する換算装置とを備えた構成にしたものである。
【００２１】
従って、その日に飲食した食物および入浴後に飲食したい食物を摂取食物記録装置に記録すると、摂取カロリー計算装置によって摂取カロリーが計算され、１日の基礎代謝量およびその日の運動量を消費量記録装置に記録すると、消費カロリー計算装置によって消費カロリーが計算され、これら計算された摂取カロリーおよび消費カロリーをもとに、摂取カロリーと消費カロリーとの差が計算装置によって計算され、その値をもとに、摂取カロリーと消費カロリーとの差を消費するための入浴方法が換算装置によって換算され、それが表示装置によって表示されるので、摂取カロリーと消費カロリーとの差を入浴によって消費することができる。
【００２２】
また、請求項８に記載した発明は、入浴者の少なくとも目標体型・体調を入力する体型・体調入力装置と、表示装置に表示された表示内容を体型・体調入力装置の入力内容に応じて変更する表示変更装置と、表示されたデーターに基づいて入浴装置を制御する制御装置とを備えているので、その日に既に摂取した食物と、入浴後に摂取したい食物と、その日に行った運動とを入力し、自動的に計算して表示された計算値から、入浴者の目標体型や体調に合わせて、摂取カロリーに対する消費カロリーの割合をコントロールでき、さらにその内容に基づいて入浴装置の制御を自動で行える。
【００２３】
また、請求項９に記載した発明は、入浴中の入浴者の少なくとも心拍・血圧の変動を監視する心拍血圧監視装置と、表示装置に表示されたデーターおよび心拍血圧監視装置からのデーターに基づいて入浴装置を制御する制御装置とを備えている。
【００２４】
従って、その日に既に摂取した食物と、入浴後に摂取したい食物と、その日に行った運動とを入力し、自動的に計算して表示された計算値をもとに決定した入浴内容と心拍血圧監視装置の内容から、入浴装置が入浴者の目標体型や体調に合わせて制御することができる。
【００２５】
次に本発明の実施例について、図１ないし図１２を参照して説明する。
【００２６】
（実施例１）
入浴装置の構成図を示す図１において、１は入浴者がその日に摂取した食物を記録する摂取食物記録装置、２は摂取食物記録装置１のデーターをもとに摂取カロリーを計算する摂取カロリー計算装置、３は体重と身長およびその日に運動した内容を記録する消費量記録装置、４は消費量記録装置３のデーターをもとに１日の基礎代謝と消費カロリーを計算する消費カロリー計算装置、５は摂取カロリーと消費カロリーとの差を計算する計算装置、６は計算装置５によって計算された値をもとに摂取カロリーと消費カロリーとの差を０に近づけるために、入浴時の湯温や流量や時間などの入浴条件に換算する換算装置、７は換算装置６により換算された入浴条件を表示する表示装置、８は入浴者の目標体型や体調を入力する体型・体調入力装置、９は表示装置７に表示されたデーターを体型・体調入力装置８の入力内容に応じて変更する表示変更入力装置、１０は入浴中の入浴者の心拍や血圧の変動を監視する心拍血圧監視装置、１２は表示装置７に表示された入浴条件と心拍血圧監視装置１０から送られてくるデーターをもとに入浴者の入浴中の安全確保を目的として入浴装置１１を制御する制御装置である。
【００２７】
なお、入浴装置１１としては図２に示すように、入浴者Ｍが座部に着席すると、霧状吐出ノズル１５から霧状の湯が入浴者Ｍの身体をくまなく湯水で覆う座姿勢シャワー入浴装置を用いている。座姿勢シャワー入浴装置を用いることによって、お湯を入れたバスタブに浸かる方式の入浴よりも、静水圧による心臓への負担が少ないため、身体に安全な入浴ができ、また、シャワー入浴は入浴湯温を即座に変更できるため、高湯温と低湯温を交互に浴びたり、あるいは霧状吐出ノズル１５からの吐出湯に強弱をつけたりすることができバスタブ入浴よりも血行を促進する効果がある。
【００２８】
以下にその動作について図３ないし図７を参照して説明をする。
【００２９】
入浴者Ｍは図３に構成図を示す摂取食物記録装置１の画面に表示された料理メニューの中から、その日に摂取した食物の料理名を捜し出し、入力ペン１３で画面をタッチし、キーボード１４を用いて何人前摂取したかを入力することにより、摂取食物が記録される。この記録された摂取食物のデーターは、摂取カロリー計算装置２に自動的に送られ、摂取カロリーが計算される。
【００３０】
つぎに、入浴者Ｍは自分の身長と体重を、図４に構成図を示す消費量記録装置３にキーボード１４を用いて入力し、さらに、その日に運動した運動名を消費量記録装置３の画面に表示された運動名の中から捜し出し、入力ペン１３で画面をタッチし、その運動を行った時間をキーボード１４で入力することにより、消費量が記録される。この記録された身長と体重をもとに入浴者の基礎代謝量と運動による消費量を加算し、その日に消費した消費カロリーが消費カロリー計算装置４によって計算される。
【００３１】
ついで、摂取カロリー計算装置２によって計算された摂取カロリーと、消費カロリー計算装置４によって計算された消費カロリーをもとに、摂取カロリーと消費カロリーとの差を０に近づけるための作業が行われる。それには、まず４０度の湯に５分間当って身体を暖め、身体を１０分間洗浄し、再び４０度の湯に５分間当って身体を暖めるという標準的な入浴スタイルで都合２０分間入浴した場合に、最大消費するカロリーが計算装置５によって計算され、その結果が換算装置６に入力される。換算装置６では、過剰摂取カロリーを消費する入浴条件として、入浴装置１１における霧状吐水ノズル１５の流量や温度や入浴時間などに換算して表示装置７にデーターを送る。
【００３２】
図５に構成図を示す表示装置７に送られたデーターは、入浴条件として表示装置７の画面に表示される。例えば、入浴により５０キロカロリー消費する必要があるとすると、入浴条件としては、総入浴時間が２０分、まず４０度の温度で１分間に９リットル吐出する湯を、霧状吐水ノズル１５により５分間浴び、その後、身体や髪を１０分間洗浄し、再び４０度の温度で１分間に９リットル吐出する湯を、霧状吐水ノズル１５により５分間浴びるという入浴条件が表示装置７に表示される。
【００３３】
次に、入浴者Ｍは自分の目標とする体重やその日の体調を、図６に構成図を示す体型・体調入力装置８に入力する。例えば、現在体重が５０キログラムの人が３キログラム減量して４７キログラムになりたく、また今日の体調は良好などと体型・体調入力装置８に入力したとすると、表示変更装置９が、この入浴者Ｍは体重を減らしても良い健康状態であることを体型・体調入力装置８に入力されたデーターから読み取り、消費カロリーは７５キロカロリーに変更する必要があると判断し、その入浴条件は、総入浴時間が３０で、まず４０度の温度で１分間に９リットル吐出する湯を、霧状吐水ノズル１５により５分間浴び、その後、身体や髪を１０分間洗浄し、再び４０度の温度で１分間に９リットル吐出する湯を、霧状吐水ノズル１５により１５分間浴びる内容であることを表示装置７に表示する。その表示内容に対して入浴者Ｍがもっとカロリーを消費したい、もっと入浴時間を長くしたい、あるいは霧状吐水ノズル１５から吐水する湯の温度や流量を変えたいと希望するときには、入力ペン１３で、消費したいカロリーあるいは湯温、湯量など変更したい画面をタッチし、消費したいカロリーや湯温、湯量などをキーボード１４によって入力すると、入力内容に合わせて、入浴時間や消費カロリーや湯温や湯量が表示変更装置９によって自動的に計算され、表示装置７の画面に表示される。
【００３４】
表示された内容が入浴者Ｍの希望に沿っている場合は、表示装置７の画面の終了マークを入力ペン１３でタッチすると、表示された内容が入浴装置１１の制御装置１２に送られ、この制御装置１２に備えられたマイコン１６から湯水混合栓１７に制御情報が送られる。この情報をもとに湯路１８と水路１９との流量が制御され、入浴装置１１内の霧状吐水ノズル１５から吐出する湯水の温度や流量が調整され、入浴時間も自動で制御される（図７参照）。また、入浴装置１１内に設置された心拍血圧監視装置１０を手首につけて入浴することにより、入浴中の心拍および血圧の変動を監視し、心拍数の異常増加や血圧の異常上昇・降下が起こった場合は、入浴装置１１の制御装置１２に心拍および血圧の異常情報が送られ、入浴温度や流量や入浴時間を変化させたり、入浴装置１１の作動を停止したりすることにより入浴者Ｍの入浴時の安全が確保される。
【００３５】
以上説明したように、入浴者は摂取した食物や運動量を記録装置に入力するだけで、カロリー計算が簡単に自動ででき、かつその値をもとに入浴条件が表示され、表示内容は入浴者の目標体型や体調に合わせて変更することができ、かつその変更内容に基づいて入浴装置を自動制御することができ、さらに、カロリーを計算してカロリー入力装置に入力するという手間や、入浴中に入浴装置を制御するという手間をとることなく、日常生活において費やす時間や費用だけで、手軽で簡単に入浴することができるため、継続使用がしやすくなり、痩身や体型維持や健康管理に一層貢献することができる。
【００３６】
（実施例２）
入浴装置の構成図を示す図８において、入浴者Ｍがその日に摂取したカロリーや消費カロリーを計算し、摂取カロリーは摂取カロリー入力装置２０に、消費カロリーは消費カロリー入力装置２１にそれぞれ入力する。摂取カロリー入力装置２０に入力されたデーターと、消費カロリー入力装置２１に入力されたデーターとをもとに、計算装置５では、摂取カロリーと消費カロリーとの差が計算され、その計算値に対し換算装置６では、摂取カロリーと消費カロリーとの差を０に近づけるために必要な入浴時の温度、時間などの入浴条件に換算し、その換算された入浴条件が表示装置７に表示される。
【００３７】
以上のようにすることにより、摂取カロリーと消費カロリーとをもとに表示された入浴条件を参考に入浴することによって、日常生活において入浴に費やす時間や費用だけで、毎日継続して日々のカロリーコントロールを実施することができる。また、食物の摂取時にカロリーを気使うことなく、痩身、体型維持などの健康管理をすることができる。さらに、入浴を通してカロリーコントロールを実施することによって、血行促進や新陳代謝が高められるなど、健康維持にも配慮しながら、痩身、体型維持などの健康管理ができる。
【００３８】
（実施例３）
さらに、入浴者Ｍが、目標体型や体調を入力する体型・体調入力装置８と、体型・体調入力装置８の入力内容に応じて表示装置７に表示されたデーターを変更する表示変更装置９とを付加することもできる。
【００３９】
この場合は、表示装置７に入浴条件が表示されたのち、入浴者Ｍは、自分の目標とする体重やその日の体調を体型・体調入力装置８に入力し、この体型・体調入力装置８に入力されたデーターの内容を表示変更装置９が読み取り、その読み取った入力内容に合わせて、表示装置７に表示された入浴条件は変更され、その変更された入浴条件が表示装置７に表示される。なお、必要であれば、その変更後の表示内容に対して、入浴者Ｍが自分の好みに合うようにさらに変更を加えることもできる。このようにして決定された入浴条件をもとに、入浴装置１１は制御装置１２により自動的に制御される（図９参照）。
【００４０】
以上のようにすることにより、さらに、摂取カロリーと消費カロリーとをもとに表示された入浴条件を、入浴者Ｍの体調や目標体型に合わせて変更することができ、その変更内容に基づいて入浴装置１１を自動的に制御できるため、簡単に毎日継続して日々のカロリーコントロールを実施することができ、痩身、体型維持などの健康管理に役立つものとなる。また、入浴装置１１を自動的に制御するという簡単な入浴方法によって血行促進や新陳代謝を高めるなど、健康維持にも配慮しながら、痩身、体型維持などの健康管理をすることができる。
【００４１】
（実施例４）
表示装置７に表示された入浴内容をもとに、入浴装置１１を制御装置１２が自動制御するが、さらに心拍血圧監視装置１０により、入浴中の入浴者Ｍの心拍や血圧の変動を監視し、そのデーターと表示装置７のデーターとをもとにしても、入浴装置１１を制御装置１２が自動的に制御する（図１０参照）。
【００４２】
以上のようにすることにより、表示装置７と心拍血圧監視装置１０とにより入浴装置１１を自動的に制御することができるため、簡単に、また心拍や血圧を監視しながら安全に、毎日継続して日々のカロリーコントロールを実施することができ、痩身、体型維持などの健康管理に役立ち、また心拍血圧監視装置１０により入浴装置１１を自動制御できるという簡単かつ安全な入浴方法によって血行促進や新陳代謝を高めるなど、健康維持にも配慮しながら、健康管理をすることができる。
【００４３】
（実施例５）
入浴者Ｍは、その日に摂取した食物を摂取食物記録装置１に入力すると摂取カロリー計算装置２によって摂取カロリーが計算され、また、体重と身長およびその日に運動した内容を消費量記録装置３に入力すると１日の基礎代謝と消費カロリーが消費カロリー計算装置４によって計算される。このように、摂取カロリー計算装置２によって計算された摂取カロリーの値と消費カロリー計算装置４によって計算された消費カロリーの値とをもとに、計算装置５によって摂取カロリーと消費カロリーとの差が計算される。この計算装置５によって計算された値をもとに換算装置６で摂取カロリーと消費カロリーとの差を０に近づけるために必要な入浴時の温度や時間などの入浴条件が換算され、その換算された入浴条件が表示装置７に表示される（図１１参照）。
【００４４】
以上のようにすることによって、摂取した食物や運動量を消費量記録装置３に入力するだけで、カロリー計算が簡単にできるため、カロリーを計算してカロリー入力装置に入力するという手間をかけず、カロリー計算が簡単にでき、継続的な使用がし易くなり、痩身、体型維持などの健康管理に一層貢献することができる。
【００４５】
（実施例６）
さらに、入浴者Ｍが目標体型や体調を入力する体型・体調入力装置８と、体型・体調入力装置８の入力内容に応じて表示装置７に表示されたデーターを変更する表示変更装置９とを付加することもできる。
【００４６】
この場合は、表示装置７に入浴条件が表示されたのち、入浴者Ｍは自分の目標とする体重やその日の体調を体型・体調入力装置８に入力し、体型・体調入力装置８に入力されたデーターの内容を表示変更装置９が読み取り、この読み取った入力内容にあわせて、表示装置７に表示された入浴条件を変更し、表示装置７に表示する。なお、必要であれば、この変更後の表示内容に対して、入浴者Ｍが自分の好みに合うようにさらに変更を加えることもできる。ついで、表示装置７に表示された入浴条件をもとに、入浴装置１１を制御装置１２が自動的に制御する（図１２参照）。
【００４７】
以上のようにすることにより、入浴条件を表示した表示内容を、入浴者の目標体型や体調に合わせて変更することができ、その変更内容に基づき入浴装置１１を自動的に制御できるため、カロリーを計算してカロリー入力装置に入力するという手間や、入浴中に入浴装置を制御するという手間をかけずに、手軽でかつ簡単に入浴が実施でき、継続使用がしやすくなり、痩身、体型維持などの健康管理に一層貢献できる。
【００４８】
【発明の効果】
本発明は以上説明したように実施され、以下に記載されるような効果を奏する。
【００４９】
１．摂取カロリーと消費カロリーをもとに表示された入浴条件を参考に入浴することによって、日常生活における入浴に費やす時間や費用だけで、毎日継続して日々のカロリーコントロールを実施することができ、また、食物摂取時にカロリーを気使かったりすることなく、おいしく食物を摂取しながら痩身、体型維持などの健康管理をすることができ、また、入浴を通してカロリーコントロールを実施することによって、入浴による血行促進や新陳代謝を高めるなど、健康維持にも配慮した健康管理をすることができる。
【００５０】
２．摂取カロリーと消費カロリーをもとに表示された入浴条件を、入浴者の目標体型や体調に合わせて変更することができ、その変更内容に基づいて入浴装置を自動的に制御することができるため、入浴中に入浴装置の制御する必要がなく、手軽で簡単に毎日継続して入浴者の目標体型や体調を考慮に入れた日々のカロリーコントロールを実施することができて健康管理に役立つものである。
【００５１】
３．表示装置と心拍血圧監視装置に基づいて入浴装置を自動的に制御することができるため、心拍や血圧を監視しながら安全に、毎日継続して日々のカロリーコントロールを実施することができる。
【００５２】
４．摂取した食物や運動量を記録装置に入力するだけで、カロリー計算が簡単に自動的にできるため、カロリーを計算してカロリー入力装置に入力するという手間をかけず、継続使用がしやすくなり健康管理に一層貢献できる。
【００５３】
５．摂取した食物や入浴後に摂取したい食物や運動量を記録装置に入力するだけで、カロリー計算が簡単に自動的にでき、その値をもとに入浴条件が表示され、その表示内容を参考に入浴することによって入浴後に摂取したい食物も含めて日々のカロリーコントロールをすることができ、入浴後の飲食もカロリーに気使わずに、おいしく食物を摂取しながら、健康管理をすることができる。
【図面の簡単な説明】
【図１】本発明の実施例１における入浴装置の構成図
【図２】同入浴装置の説明図
【図３】同入浴装置に取り付ける摂取食物記録装置の構成図
【図４】同入浴装置に取り付ける消費量記録装置の構成図
【図５】同入浴装置に取り付ける表示装置の構成図
【図６】同入浴装置に取り付ける体型・体調入力装置の構成図
【図７】同入浴装置における制御を説明するブロック図
【図８】本発明の実施例２における入浴装置の構成図
【図９】本発明の実施例３における入浴装置の構成図
【図１０】本発明の実施例４における入浴装置の構成図
【図１１】本発明の実施例５における入浴装置の構成図
【図１２】本発明の実施例６における入浴装置の構成図
【符号の説明】
１  摂取食物記録装置
２  摂取カロリー計算装置
３  消費量記録装置
４  消費カロリー計算装置
５  計算装置
６  換算装置
７  表示装置
８  体型・体調入力装置
９  表示変更装置
１０  心拍血圧監視装置
１１  入浴装置
１２  制御装置
２０  摂取カロリー入力装置
２１  消費カロリー入力装置
【図１】
0003598621.tif 000002
【図２】
0003598621.tif 000003
【図３】
0003598621.tif 000004
【図４】
0003598621.tif 000005
【図５】
0003598621.tif 000006
【図６】
0003598621.tif 000007
【図７】
0003598621.tif 000008
【図８】
0003598621.tif 000009
【図９】
0003598621.tif 000010
【図１０】
0003598621.tif 000011
【図１１】
0003598621.tif 000012
【図１２】
0003598621.tif 000013